(57)【特許請求の範囲】
【請求項１】
ディスク収納部を有するケース本体と、該ケース本体にヒンジ部を介して回動自在に連結される蓋体を備え、前記蓋体の自由端部側に突設されたストッパから前記ヒンジ部までの距離より長いインデックスレーベルを前記蓋体のストッパから前記ケース本体にかけて収容するインデックスレーベル収納部を設け、前記インデックスレーベル収納部に収納するインデックスレーベルの一端が前記ディスク収納部に侵入させないため前記ケース本体の底面の前記ディスク収納部とヒンジ部の間にストッパを突設させたことを特徴とするディスク収納ケース。
【請求項２】
前記ケース本体と蓋体がヒンジ部を介して一体に成形されていることを特徴とする請求項１に記載のディスク収納ケース。
【発明の詳細な説明】
【０００１】
【発明の属する技術分野】
本発明は、コンパクトディスク（ＣＤ）、デジタルビデオディスク（ＤＶＤ）等の円板状記録媒体（以下、単にディスクという）を収納するケースに関するものである。
【０００２】
【従来の技術】
従来、ディスク収納ケースは、ディスク収納部を有するケース本体と、このケース本体に回動自在に装着された蓋体とからなり、ケース本体の内面中央部にディスクの中央穴に嵌入してディスクを固定するためのディスク係止部が突設されている。また、蓋体の内面には、ディスクの内容を表示したインデックスレーベルを挿入係止するための複数の係止爪が設けられ、この係止爪は、蓋体をケース本体に閉じたとき、ケース本体側に形成された係合凹部に係合可能にされている。ケース本体と蓋体は透明材料で成形され、ディスクを収めた収納ケースは、透明フィルム等からなるケースカバーで包装され、製品として出荷されている（例えば、特開平８−４８４８６号公報参照）。
【０００３】
【発明が解決しようとする課題】
ところで、上記インデックスレーベルには、ディスクの記録内容を象徴的に示す画像情報等の外に、規格、記録時間、注意事項などの詳細情報が細かな字体で印刷されているが、上記従来のディスク収納ケースにおいては、インデックスレーベルが収納ケースの内部にあり、インデックスレーベルの情報を収納ケースと透明フィルムを介して見ることになり、光の反射によっては見栄えが悪くなったり、また見難くくなるという問題を有している。
【０００４】
また、収納ケース内に郵便葉書を挿入して、この葉書をユーザから返送して貰うことにより、市場のニーズを把握したり、キャラクターグッズ等の景品を配り、製品価値を高める試みが行われている。しかしながら、従来のディスク収納ケースは、ほぼディスクの大きさに合わせて規格化されているため、葉書を折り畳んで収納ケースに収納せざるを得ず、使い勝手に問題を有している。
【０００５】
本発明は、上記従来の問題を解決するものであって、インデックスレーベルの情報を見やすく、また保管し易くすることができるとともに、葉書を折り畳まないで収納することができるディスク収納ケースおよび該ディスク収納ケースへのインデックスレーベルの装填方法を提供することを目的とする。
【０００６】
【課題を解決するための手段】
上記の課題を解決するために、本発明の請求項１記載のディスク収納ケースは、ディスク収納部２を有するケース本体３と、該ケース本体３にヒンジ部４を介して回動自在に連結される蓋体５を備え、前記蓋体５の自由端部側に突設されたストッパ１２から前記ヒンジ部４までの距離より長いインデックスレーベル１３を前記蓋体５のストッパ１２から前記ケース本体２にかけて収容するインデックスレーベル収納部Ｘ２を設け、前記インデックスレーベル収納部Ｘ２に収納するインデックスレーベル１３の一端が前記ディスク収納部２に侵入させないため前記ケース本体３の底面の前記ディスク収納部２とヒンジ部４の間にストッパ１）を突設させたことを特徴とし、請求項２記載の発明は、請求項１において、前記ケース本体と蓋体がヒンジ部を介して一体に成形されていることを特徴とする。
以上
【０００７】
【発明の実施の形態】
以下、本発明の実施の形態を図面を参照しつつ詳細に説明する。図１は、本発明のディスク収納ケースの１実施形態を示し、図１（Ａ）は平面図、図１（Ｂ）は図１（Ａ）のＢ−Ｂ線に沿う断面図、図１（Ｃ）は図１（Ａ）のＣ−Ｃ線に沿う拡大断面図、図２は、本発明に係わるインデックスレーベルの各例を示す平面図である。
【０００８】
図１において、ディスク収納ケース１は透明材料により一体成形され、扁平直方体で少なくともその長辺が郵便葉書の長辺以上の長さを有する大きさにされている。このディスク収納ケース１は、ディスク収納部２を有するケース本体３と、このケース本体３にヒンジ部４を介して回動自在に連結された蓋体５とからなっている。ヒンジ部４には、ケース本体３と蓋体５の連結部４ａを薄肉に形成しており、これによりケース本体３と蓋体５を回動可能にしている。
【０００９】
ケース本体３の内面中央部には、ディスクの中央穴に嵌入してディスクを固定するためのディスク係止部６が突設され、また、ディスク収納部２の外周には、ディスクに手を掛けやすくするための手挿入部７が形成され、さらに、ケース本体３の両側上面には、複数の係合凹部８が形成されている。
【００１０】
ケース本体３の両側内面には側壁３ａが形成され、これら側壁３ａの間に前壁３ｂが形成され、蓋体５の両側内面には側壁５ａが形成されている。側壁５ａ、３ａには、ディスクの内容を表示したインデックスレーベル１３（図２参照）を挿入、係止するための複数の係止爪９、１０が設けられ、蓋体５側の係止爪９は、蓋体５をケース本体３に閉じたとき、ケース本体３側に形成された係合凹部８に係合可能にされている。
【００１１】
また、ケース本体３の底面には、ケースの片側に寄せてディスク収納部２が形成されるとともに、蓋体５からディスク収納部２に近接してインデックスレーベル収納部Ｘ２が形成されている。さらに、ケース本体３の底面には、インデックスレーベル１３を挿入したとき、これがディスク収納部２に侵入させないように、ストッパ１１（図１（Ｃ）に詳示）が突設され、蓋体５側にはインデックスレーベル１３が外に飛び出さないようにストッパ１２が突設されている。このストッパ１２にはその外側両端に突部１２ａが形成されており、蓋体５をケース本体３に閉じたとき、ケース本体３の前壁３ｂの内側に形成された係合突部３ｃに係合可能にされている。
【００１２】
ディスク収納ケース１は扁平直方体の形状であり、蓋体５のストッパ１２と端部間の長さ、すなわち郵便葉書収納部Ｘ１が郵便葉書１４（図３参照）の長辺Ｌと等しいか又は若干長くなるように設計している。また、蓋体５のストッパ１２とケース本体３のストッパ１１間の長さ、すなわちインデックスレーベル収納部Ｘ２がインデックスレーベル１３の長辺と等しいか又は若干長くなるように設計している。
【００１３】
図２（Ａ）に示すように、インデックスレーベル１３は、長辺の長さは前述の如くＸ２に設定され、短辺の長さＹは、蓋体５の側壁５ａ、５ａ間の長さに設定されている。インデックスレーベル１３には、ディスクの記録内容を象徴的に示す画像表示部１３ａと、規格、記録時間、注意事項などが記載された詳細情報表示部１３ｂが形成され、両者の境界に２本の折曲線（ミシン目）１３ｃが形成され、インデックスレーベル１３をこのミシン目１３ｃに沿って折り曲げ可能にしている。そして、このミシン目の部分１３ｃをヒンジ部４または前壁３ｂに突き当て、画像表示部１３ａと詳細情報表示部１３ｂを、ケース本体３と蓋体５の外側に沿わせることを可能にしている（図３参照）。
【００１４】
図２（Ｂ）は、インデックスレーベル１３の他の例を示している。本例においては、インデックスレーベル１３の画像表示部１３ａの図で左側に延長して切り離し部１３ｄを２本の折曲兼切取線（ミシン目）１３ｅを介して設けておき、この切り離し部１３ｄを景品応募券やポイント証紙、あるいは当たり券等のユーザメリットのあるものとし、この切取線１３ｅで折り畳み加能にしてある。この切り離し部１３ｄにも規格、記録時間、注意事項などの詳細情報が記載されている。なお、図２（Ｃ）に示すように、切り離し部１３ｄをミシン目１３ｃの図で右側へ延長させて設けてもよい。
【００１５】
図３は、図２（Ａ）のインデックスレーベル１３を用いたディスク収納ケースの出荷状態を示す斜視図である。製品出荷時には、ディスク収納ケース１内には、ディスク１５（図４参照）と郵便葉書１４が収納され、ケース本体３と蓋体５を閉じた後、蓋体５の外側からケース本体３にかけてインデックスレーベル１３をセットし、その上から透明フィルムからなる透明包装材（図示せず）で包装するようにする。
【００１６】
図４は、図３のディスク収納ケースの使用状態を説明するための斜視図である。ディスク１５を購入したユーザは、先ず、前記透明包装材を取り除き、インデックスレーベル１３を取り外した後、蓋体５をケース本体３から開いて、郵便葉書１４を抜き出し、代わってインデックスレーベル１３を蓋体５の係止爪９およびケース本体３の係止爪１０に沿って差し込み、ストッパ１１、１２間に装着する。
【００１７】
図５（Ａ）は、図２（Ｂ）のインデックスレーベル１３を用いたディスク収納ケースの出荷状態を示す模式的断面図、図５（Ｂ）は図５（Ａ）のＢ方向から見た図である。
【００１８】
製品出荷時には、ディスク収納ケース１内には、ディスク１５が収納され、ケース本体３と蓋体５を閉じた後、蓋体５の外側に郵便葉書１４をセットする。インデックスレーベル１３の詳細情報表示部１３ｂおよび切り離し部１３ｄを内側に折り込み、詳細情報表示部１３ｂと画像表示部１３ａを郵便葉書１４上に重ね、切り離し部１３ｄはケース本体３側にセットし、その上から透明包装材１６で包装するようにする。
【００１９】
従って、ケース本体３側からはディスク１５の記録面と切り離し部１３ｄの景品応募券等の内容や規格、記録時間、注意事項などが記載された詳細情報が視認されることになり、ユーザの購入意欲を増大させることができる。また、切り離し部１３ｄを切り離しても詳細情報表示部１３ｂが残るのでユーザが困ることはない。なお、郵便葉書１４はディスク収納ケース１内にセットしてもよい。
【００２０】
ディスク１５を購入したユーザは、先ず、透明包装材１６を取り除き、インデックスレーベル１３および郵便葉書１４を取り外し、インデックスレーベル１３の切り離し部１３ｄを切り離した後、蓋体５をケース本体３から開いて、インデックスレーベル１３を蓋体５の係止爪９およびケース本体３の係止爪１０に沿って差し込み、ストッパ１１、１２間に装着する。
【００２１】
以上、本発明の実施の形態について説明したが、本発明はこれに限定されるものではなく種々の変更が可能である。例えば、上記実施形態においては、蓋体５側に画像表示部１３ａをセットするようにしているが、ケース本体３側にセットするようにしてもよい。この場合には、蓋体５を透明にしておけば、ディスク１５の表側のデザインを外から見るもとができる。
【００２２】
また、上記実施形態においては、ケース本体３と蓋体５をヒンジ部４を介して一体成形により製作しているが、ケース本体３と蓋体５を別体としヒンジを介して回動自在に連結するようにしてもよい。
【００２３】
【発明の効果】
以上の説明から明らかなように、本発明によれば、ユーザは、購入時には製品を透明フィルムのみを介してインデックスレーベルを視認することができるため、シートインデックスレーベルの情報を見やすくすることができ、購入後にはインデックスレーベルを収納ケース内のインデックスレーベル収納部へ保管しておくことができる。また、葉書を折り畳まないで収納することができるので、その使用勝手を向上させることができる。
【図面の簡単な説明】
【図１】本発明のディスク収納ケースの１実施形態を示し、図１（Ａ）は平面図、図１（Ｂ）は図１（Ａ）のＢ−Ｂ線に沿う断面図、図１（Ｃ）は図１（Ａ）のＣ−Ｃ線に沿う拡大断面図である。
【図２】本発明に係わるインデックスレーベルの各例を示す平面図である。
【図３】図２（Ａ）のインデックスレーベルを用いたディスク収納ケースの出荷状態を示す斜視図である。
【図４】図３のディスク収納ケースの使用状態を説明するための斜視図である。
【図５】図５（Ａ）は、図２（Ｂ）のインデックスレーベル１３を用いたディスク収納ケースの出荷状態を示す模式的断面図、図５（Ｂ）は図５（Ａ）のＢ方向から見た図である。
【符号の説明】
１…ディスク収納ケース
２…ディスク収納部
３…ケース本体
５…蓋体
９、１０…係止爪
１１、１２…ストッパ
１３…インデックスレーベル
１３ａ…画像表示部
１３ｂ…詳細情報表示部
１３ｃ…折曲線
１３ｄ…切り離し部
１３ｅ…折曲兼切取線
１４…郵便葉書
１６…透明包装材
Ｘ１…葉書収納部
Ｘ２…インデックスレーベル収納部
【図１】
0004001271.tif 000002
【図２】
0004001271.tif 000003
【図３】
0004001271.tif 000004
【図４】
0004001271.tif 000005
【図５】
0004001271.tif 000006